(57)【要約】      （修正有）【課題】袋に油等の液体分が滲出する食品を出し入れする際の手の汚れを防止でき、収納した油物等による袋の裏側や表側の表面の汚れを防止でき、幅方向両端部の強度も高く、印刷した文字等の表示の油等の付着による汚損もない食品包装袋を提供する。【解決手段】食品包装袋１は、透明なラミネートフィルム６から形成された袋本体２と、その内側に布設された不織布３とからなる。フィルム６は、不織布３の一端で２つに折り返して不織布の表側、裏側に重ね合わされ、該表側のフィルム部分６ａは裏側のフィルム部分６ｂおよび不織布よりも短い。その表側、裏側のフィルム部分および不織布が重なった本体部８の幅方向両端部８ａを溶着して、表側のフィルム部分と不織布との間に食品収納部４が形成され、裏側のフィルム部分および不織布が重なった突出部７の幅方向両端部７ａを溶着して、袋のつまみ部５が形成される。つまみ部５の途中には、ラインシール状の溶着によって、食品から滲出した液体分がつまみ部の先端部方向に浸透するのを防ぐ浸透防止部１０が形成されている。【選択図】図２
0003105408.tif 000002
【実用新案登録請求の範囲】
【請求項１】
透明なラミネートフィルムから形成された袋本体と、該袋本体内に布設された不織布とからなる、油等の液体分が滲出する食品を収納する食品包装袋であって、
前記ラミネートフィルムは、不織布の一端で２つに折り返して不織布の表側、裏側に重ね合わされ、該表側のフィルム部分は裏側のフィルム部分および不織布よりも短く、裏側のフィルム部分および不織布の２者は折り返し端とは反対側の開放端側で表側のフィルム部分よりも外方に突出し、その表側、裏側のフィルム部分および不織布の３者が重なった本体部の幅方向両端部を溶着することによって、該表側のフィルム部分と不織布との間に表側のフィルム部分の開放端を開口端とする食品収納部が形成され、前記裏側のフィルム部分および不織布の２者が重なった突出部の幅方向両端部を溶着することによって袋のつまみ部が形成され、さらに前記つまみ部の途中を幅方向にラインシール状に溶着することによって、前記収納部に入れた食品から滲出した液体分が前記つまみ部の先端部方向に浸透するのを防ぐ浸透防止部が形成されていることを特徴とする食品包装袋。
【請求項２】
前記不織布の前記一端の部分を不織布と表側のフィルム部分との間に折り込ませて、前記収納部に入れた食品から滲出した液体分の前記表側のフィルム部分の側への回りこみ防止部としたことを特徴とする請求項１記載の食品包装袋。
【請求項３】
前記ラミネートフィルムを構成する複数のフィルムにおける外部に露出しない少なくとも１つの面に絵柄等の表示を印刷することを特徴とする請求項１または２記載の食品包装袋。
【考案の詳細な説明】
【技術分野】
【０００１】
本考案は、油等の液体分が滲出する食品を収納する食品包装袋に関する。
【背景技術】
【０００２】
油や汁等の液体分が滲出する食品を収納する食品包装袋として、樹脂フィルムで形成した袋本体の内側に液体分の吸収材層として不織布を布設したものが知られ、例えば、袋本体の幅以下とした不織布の少なくとも袋本体の開口側の縁部を袋本体の下側のフィルム部分に溶着することによって、袋本体の表側のフィルム部分と不織布の間を食品の収納部とすると共に、食品を収納部に入れる際の不織布の捲れやずれを防止し、さらに袋本体の下側のフィルム部分に多数の小孔を穿設して、食品収納部に入れた加熱した食品から発生する水蒸気を放散させ得るようにしたものが提案されている（例えば特許文献１を参照）。
【特許文献１】実用新案登録第２５６０８６６号公報
【考案の開示】
【考案が解決しようとする課題】
【０００３】
しかしながら、上記特許文献１の食品包装袋は、食品収納部から突出したつまみ部がないため、食品を収納部に出し入れする際に、食品収納部内に指先を入れて袋を掴まなければならず、食品収納部に唐揚げ等の油物を入れていると、指先が油で汚れる難点がある。また袋本体の下側の部分に多数の小孔を設けているので、熱い油物から出た油の蒸気が小孔を通って漏れることを免れず、漏れた油が袋本体の裏側の表面に付着し、また手による袋の取り扱いで袋本体の表側の表面にも付着する。このため袋の外側が油でベタベタになって、油物を収納した袋を店頭などに展示した際、見栄えが悪く、また油物の購入者の手の油汚れを招く。
【０００４】
さらに不織布は、袋本体の開口側の縁部を袋本体の裏側のフィルム部分に固着しており、袋本体の幅方向両端部は、上側、下側のフィルム部分と不織布との３層を固着した構造になっていないので、袋本体の幅方向両端部の強度が弱い難点もある。さらにまた袋本体を構成するフィルムは、２枚以上のフィルムを貼り合わせたラミネートフィルムを使用していないので、文字や絵柄等の表示は表側や裏側のフィルム部分の外面や内面に印刷せざるを得ず、袋本体の外面への印面では手による擦れによって、袋本体の内面への印刷では食品から出た油や汁等の液体分の付着によって表示が汚損し、綺麗な表示を維持することができない。
【０００５】
したがって本考案の課題は、袋に油等の液体分が滲出する食品を出し入れする際の手の汚れを防止でき、収納した油物等による袋の裏側や表側の表面の汚れを防止でき、幅方向両端部の強度も高く、印刷した文字や絵柄等の表示の手の擦れや油等の付着による汚損もない食品包装袋を提供することである。
【課題を解決するための手段】
【０００６】
上記課題を解決するために、本考案は、透明なラミネートフィルムから形成された袋本体と、該袋本体内に布設された不織布とからなる、油等の液体分が滲出する食品を収納する食品包装袋であって、前記ラミネートフィルムは、不織布の一端で２つのフィルム部分に折り返して不織布の表側、裏側に重ね合わされ、該表側のフィルム部分は裏側のフィルム部分および不織布よりも短く、裏側のフィルム部分および不織布の２者は折り返し端とは反対側の開放端側で表側のフィルム部分よりも外方に突出し、その表側、裏側のフィルム部分および不織布の３者が重なった本体部の幅方向両端部を溶着することによって、該表側のフィルム部分と不織布との間に表側のフィルム部分の開放端を開口端とする食品収納部が形成され、前記裏側のフィルム部分および不織布の２者が重なった突出部の幅方向両端部を溶着することによって袋のつまみ部が形成され、さらに前記つまみ部の途中を幅方向にラインシール状に溶着することによって、前記つまみ部の途中に前記収納部に入れた食品から滲出した液体分の浸透防止部が形成されていることを特徴とする。
【０００７】
本考案によれば、前記不織布の前記一端の部分を不織布と表側のフィルム部分との間に折り込ませて、前記収納部に入れた食品から滲出した液体分の前記表側のフィルム部分側への回りこみ防止部とすることができる。前記ラミネートフィルムを構成する複数のフィルムにおける外部に露出しない少なくとも１つの面に絵柄等の表示を印刷するようにすることができる。
【０００８】
本考案の食品包装袋では、食品収納部から突出したつまみ部があり、またそのつまみ部の途中に浸透防止部を形成して、収納部に入れた食品から滲出した液体分がつまみ部の先端部方向に浸透するのを防止しているので、つまみ部の先端部を掴むことによって、食品から出た油等の液体分で指先を汚すことなく、収納部へ食品を出し入れすることができ、また収納部の開口端を封することができる。また食品収納部の開口端は、つまみ部を設けることによって内側にずれた配置になっているので開口性がよい。また水蒸気放散用等の小孔を袋本体のどこにも設けていないので、収納部に入れた熱い油物から出た油の蒸気が小孔を通って袋本体の裏側や表側の表面に付着するというようなことがなく、袋の外側が油でベタベタになることがない。したがって、油物を収納した袋を店頭などに展示しても見栄えが良く、また油物の購入者の手の油汚れを招くこともない。勿論、加熱した食品から発生した水蒸気の袋本体の裏側や表側の表面への付着もなく、それによる見栄えの悪化等の不都合もない。
【０００９】
また、食品収納部を形成した本体部の幅方向両端部は、表裏側のフィルム部分とその間の不織布との３層を固着した構造になっているので、強度を高くすることができる。さらに、ラミネートフィルムで袋本体を形成するので、ラミネートフィルムを構成する複数のフィルムにおける外部に露出しない少なくとも１つの面に文字や絵柄等の表示を印刷しておくことにより、手による擦れや食品から出た油や汁等の液体分の付着によって表示が汚損するのをなくせ、綺麗な表示を維持することができる。
【００１０】
また、食品から滲出する液体分が多く、不織布が液体分を吸収しきれないと、袋を上下方向に真っ直ぐや斜めに立てて使用した場合、袋の底に溜まった液体分が表側のフィルム部分の方向に回って、表側のフィルム部分の内面に付着し、収納部に入れた食品の見栄えを悪くする恐れがあるが、不織布の一端部を不織布と表側のフィルム部分との間に折り込ませておけば、該折り込ませた一端部を回りこみ防止部として作用させることができ、食品から滲出した液体分が表側のフィルム部分の側へ回りこむのを防止することができる。
【考案の効果】
【００１１】
本考案の食品包装袋によれば、袋に油等の液体分が滲出する食品を出し入れする際の手の汚れを防止でき、収納した油物等による袋の裏側や表側の表面の汚れを防止でき、幅方向両端部の強度も高く、印刷した文字や絵柄等の表示の手の擦れや油等の付着による汚損もない。
【考案を実施するための最良の形態】
【００１２】
以下、図面を参照して本考案の実施例を詳述する。図１は本考案の一実施例に係る食品包装袋を示す平面図、図２は図１のＡ−Ａ断面図である。
【００１３】
本考案の食品包装袋１は、袋本体２と、この袋本体２内に布設した不織布３とからなり、油等の液体分が滲出する食品を収納する食品収納部４と、この収納部４に食品を出し入れする等の際に指で掴むつまみ部５とが形成されている。
【００１４】
袋本体２は、該袋本体の強度を高めるためと、袋本体に文字や絵柄等の表示を収納部４の食品からの液体分による汚れを防いだ印刷ができるようにするために、複数の透明フィルムを貼り合わせたラミネートフィルム６から形成されている。文字や絵柄等の表示は、ラミネートフィルム６を構成する複数のフィルムのうちの外部に露出しない少なくとも１つの面に印刷する。本実施例では、ラミネートフィルム６として、下層が延伸ポリプロピレンフィルム（ＯＰ）、上層が非延伸ポリプロピレンフィルム（ＣＰ）の２層構成のものを使用し、その上層の非延伸ポリプロピレンフィルムの裏面に文字等の表示を印刷した。
【００１５】
この透明なラミネートフィルム６は、不織布３の一端で２つのフィルム部分６ａ、６ｂに折り返して不織布３の表側、裏側に重ね合わされる。その重ね合わされた表側のフィルム部分６ａは、裏側のフィルム部分６ｂおよび不織布３よりも短く、裏側のフィルム部分６ｂおよび不織布３は、折り返し端とは反対側の開放端の側で表側のフィルム部分６ａよりも外方に突出されている。この突出部７を除く表側、裏側のフィルム部分６ａ、６ｂおよび不織布３の３者が重なった本体部８の幅方向両端部８ａを長手方向に溶着することにより、本体部８の表側のフィルム部分６ａと不織布３との間に、表側のフィルム部分６ａの開放端を開口端４ａとする食品収納部４が形成される。
【００１６】
このように、食品収納部４を形成した本体部８の幅方向両端部８ａは、表裏側のフィルム部分４ａ、４ｂとその間の不織布３との３層を固着した構造としたので（図４（ａ））、強度を高くすることができる。なお、本体部８の幅方向両端部８ａを溶断により狭い幅で溶着すると、両端部８ａの剥離に対する強度が弱くなるので、両端部８ａを例えば１ｃｍ程度の十分に広い幅で溶着し、ついで溶着部分の幅方向の途中を例えば３〜５ｍｍ程度広く残るようにして長手方向に溶断することにより、両端部８ａの溶着を得るようにする。
【００１７】
不織布３は、食品収納部４に入れた食品から滲出した油等の液体分の吸収性が良く、かつラミネートフィルム６との溶着性の良いものならばよい。不織布３は、厚手のものを使用することが好ましい。不織布３が厚手であれば、収納部４に入れた食品から出た液体分の吸収性が高まるだけでなく、熱い食品から出た水蒸気などによる袋本体２の表面の曇りを防ぐ効果があり、また食品を保温する効果もある。
【００１８】
食品から滲出する液体分が多く、不織布３が液体分を吸収しきれないと、袋１を上下方向に立てて使用した場合、底に溜まった液体分が表側のフィルム部分６ａの方向に回って、フィルム部分６ａの内面に付着し、収納部４に入れた食品の見栄えを悪くする恐れがある。そこで好ましくは、図３、図４（ｂ）に示すように、ラミネートフィルム６の折り返し端側で不織布３の一端部３ａを２〜３ｍｍ程度折り返して、該不織布３と表側のフィルム部分６ａとの間に折り込ませ、折り込ませた一端部３ａをフィルム部分６ａ側への液体分の回りこみ防止部９とすることがよい。
【００１９】
本体部８に続く突出部７は、裏側のフィルム部分６ｂおよび不織布３の２者が重なっており、この幅方向両端部７ａを溶着することによってつまみ部５が形成されている。両端部７ａの溶着法は、本体部８の両端部８ａの溶着法と同様な手法を採る。このつまみ部５には、その途中の開口端４ａ寄りの位置で裏側のフィルム部分６ｂと不織布３とを幅方向にラインシール状に溶着することによって、収納部４の食品からの液体分がつまみ部５の先端部方向へ浸透するのを防ぐ浸透防止部１０に形成している。つまみ部５の幅方向に沿う端部は、つまみ部５を指で掴みやすいように、フィルム部分６ｂと不織布３とを溶着せず開放端にしておき、さらに不織布３をフィルム部分６ｂよりも少し長くして外方に突出させておく。
【００２０】
以上の食品包装袋１は、ラミネートフィルム６と不織布３とを二軸のフィルムスタンドより同時に製袋機に供給して製造される。製袋機では、前述した態様で、ラミネートフィルム６を不織布３に対し折り返して重ね合わせ、段差ローラでその重ね合わされた表側、裏側のフィルム部分６ａ、６ｂと不織布３の弛みの誤差を修正し、ついで突出部７の浸透防止部１０の溶着を行い、さらに突出部７の幅方向両端部７ａおよび本体部８の幅方向両端部８ａの溶着を行って袋１を製造する。
【００２１】
本考案の食品包装袋は以上のように構成され、袋本体の収納部に油等の液体分が滲出する食品を出し入れする際の手の汚れを防止でき、収納した油物等による袋本体の裏側や表側の表面の汚れを防止でき、袋本体の幅方向両端部の強度も高く、印刷した文字や絵柄等の表示の手の擦れや油等の付着による汚損もない。
【産業上の利用可能性】
【００２２】
本考案の食品包装袋は、焼き鳥、ホットドッグ、天ぷら、から揚げ、フライ、調理パン、焼き魚、切り身魚等の食品の包装に好適に使用することができる。
【図面の簡単な説明】
【００２３】
【図１】本考案の食品包装袋の実施例を示す平面図である。
【図２】図１のＡ−Ａ線断面図である。
【図３】図１の袋を構成するフィルムで不織布の一端を折り込むところを示す斜視図である。
【図４】図１のＢ−Ｂ線断面図（ａ）とＣ―Ｃ線断面図（ｂ）である。
【符号の説明】
【００２４】
１  食品包装袋                  ２  袋本体
３  不織布                      ４  食品収納部
５  つまみ部                    ６  ラミネートフィルム
６ａ  表側のフィルム部分        ６ｂ  裏側のフィルム部分
９  回り込み防止部              １０  浸透防止部
【図１】
0003105408.tif 000003
【図２】
0003105408.tif 000004
【図３】
0003105408.tif 000005
【図４】
0003105408.tif 000006